【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
液晶パネルと、
前記液晶パネルに光を提供するｎ個の発光ブロックで分けられている光源ユニットと、
前記光源ユニットから照射される光を反射するサイド部材と、
前記サイド部材から反射する光によって決定される反射輝度に基づいて、前記ｎ個の発光ブロックの各発光ブロックの最終輝度を決定し、前記最終輝度に対応する最終光データを提供するタイミングコントローラと、
前記最終光データに応答して前記各発光ブロックの輝度を制御するバックライトドライバと、
を含む液晶表示装置。
【請求項２】
前記タイミングコントローラは、
映像データの提供を受けて前記映像データに対応する前記各発光ブロックの初期輝度を決定し、
前記初期輝度と前記反射輝度とに基づいて、前記各発光ブロックの最終輝度を決定する請求項１に記載の液晶表示装置。
【請求項３】
前記タイミングコントローラは、
映像データの提供を受けて第ｉ（１≦ｉ≦ｎ）発光ブロックのターゲット輝度を決定し、
前記第ｉ発光ブロックのターゲット輝度に基づき、前記第ｉ発光ブロックのターゲット輝度よりも低い前記第ｉ発光ブロックの初期輝度を決定し、
第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、
前記第ｉ発光ブロックの初期輝度と、前記反射輝度と、前記第ｊ発光ブロックのスプレディング輝度と、を加えて第ｉ発光ブロックの中間輝度を決定し、
前記第ｉ発光ブロックのターゲット輝度と前記第ｉ発光ブロックの中間輝度とを比較し、当該比較した結果に応じて前記第ｉ発光ブロックの中間輝度を補正して前記第ｉ発光ブロックの前記最終輝度を決定する請求項１または２に記載の液晶表示装置。
【請求項４】
前記タイミングコントローラは、
映像データの提供を受けて第ｉ（１≦ｉ≦ｎ）発光ブロックのターゲット輝度を決定し、
前記第ｉ発光ブロックのターゲット輝度に基づき、前記ターゲット輝度よりも低い前記第ｉ発光ブロックの初期輝度を決定し、
前記第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、
前記第ｉ発光ブロックの初期輝度と、前記反射輝度と、前記第ｊ発光ブロックのスプレディング輝度と、を加えて第ｉ発光ブロックの第１中間輝度を決定し、
前記第１中間輝度に対応する中間光データを提供し、前記中間光データに応答して前記多数の発光ブロックが発散する光によって測定された第２中間輝度と前記ターゲット輝度を比較し、当該比較した結果に応じて前記中間光データを補正して前記最終光データを提供する請求項１から３のいずれかに記載の液晶表示装置。
【請求項５】
前記タイミングコントローラは、
映像データの提供受けて第ｉ（１≦ｉ≦ｎ）発光ブロックのターゲット輝度を決定するターゲット輝度決定部と、
前記第ｉ発光ブロックのターゲット輝度に基づき、前記ターゲット輝度よりも低い前記第ｉ発光ブロックの初期輝度を決定する初期輝度決定部と、
前記第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、前記初期輝度と、前記反射輝度と、前記スプレディング輝度と、を加えて第ｉ発光ブロックの中間輝度を決定する中間輝度決定部と、
前記ターゲット輝度と前記中間輝度を比較する比較部と、
を含む請求項１から４のいずれかに記載の液晶表示装置。
【請求項６】
前記液晶パネルは前記第１から第ｎ発光ブロックと対応される前記第１から第ｎ表示ブロックに区分され、
前記各発光ブロックは前記対応される各表示ブロックに表示される映像によって輝度が制御される請求項１から５のいずれかに記載の液晶表示装置。
【請求項７】
光を反射するサイド部材に囲まれて多数の発光ブロックで分けられた光源ユニットに光データを提供するタイミングコントローラにおいて、
映像データの提供を受けて第ｉ（１≦ｉ≦ｎ）発光ブロックのターゲット輝度を決定するターゲット輝度決定部と、
前記第ｉ発光ブロックのターゲット輝度に基づき、前記ターゲット輝度よりも低い前記第ｉ発光ブロックの初期輝度を決定する初期輝度決定部と、
第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、前記第ｉ発光ブロックに対する前記第ｊ発光ブロックの反射輝度を決定し、前記初期輝度と、前記反射輝度と、前記スプレディング輝度と、を加えて第ｉ発光ブロックの中間輝度を決定する中間輝度決定部であって、前記第ｉ発光ブロックに対する前記第ｊ発光ブロックの反射輝度は前記第ｊ発光ブロックから発散された光が前記サイド部材によって反射されて前記反射された光によって決定された輝度の中間輝度決定部と、
前記中間輝度と前記ターゲット輝度を比較する比較部と、
前記比較結果に応じ前記中間輝度を補正して前記第ｉ発光ブロックの最終輝度を決定し、前記最終輝度に対応する前記光データを提供する補正部と、
を含むタイミングコントローラ。
【請求項８】
前記サイド部材が第１から第ｎ発光ブロックを囲み、前記第ｉ発光ブロックが前記第ｊ発光ブロックを基準として第ｉ位置に存在し、前記第ｉ発光ブロックは前記サイド部材を基準として前記サイド部材外部の第ｋ仮想発光ブロックと対称とされ、前記第ｋ仮想発光ブロックは前記第ｊ発光ブロックを基準として第ｋ位置に存在する場合、
前記中間輝度決定部は、
第ｉスプレディング係数と前記第ｊ発光ブロックの初期輝度を乗じて前記第ｉ発光ブロックに対する前記第ｊ発光ブロックのスプレディング輝度を決定し、
第ｋスプレディング係数と前記第ｊ発光ブロックの初期輝度を乗じて前記第ｋ仮想発光ブロックに対する第ｊ発光ブロックのスプレディング輝度を決定し、
前記第ｋ仮想発光ブロックに対する前記第ｊ発光ブロックのスプレディング輝度と前記サイド部材の反射係数を乗じて前記第ｉ発光ブロックに対する前記第ｊ発光ブロックの反射輝度を決定し、
前記第ｉ発光ブロックの初期輝度と、前記第ｉ発光ブロックに対する前記第ｊ発光ブロックのスプレディング輝度と、前記第ｉ発光ブロックに対する前記第ｊ発光ブロックの反射輝度と、を加えて前記第ｉ発光ブロックの最終輝度を決定する請求項７に記載のタイミングコントローラ。
【請求項９】
液晶パネルと、多数の発光ブロックで分かれる光源ユニットと、前記光源ユニットから照射される光を反射するサイド部材と、を含む液晶表示装置を駆動する駆動方法であって、
前記サイド部材から前記反射する光によって決定される反射輝度に基づいて、前記多数の発光ブロックの各発光ブロックの最終輝度を決定する段階と、
前記最終輝度に対応する光データを提供する段階と、
前記光データに応答して前記各発光ブロックの輝度を制御する段階と、
を含む液晶表示装置の駆動方法。
【請求項１０】
前記各発光ブロックの最終輝度を決定する段階は、
映像データを提供する段階と、
前記映像データに対応する前記発光ブロックの初期輝度を決定する段階と、
他の前記発光ブロックから広がる光によって決定されるスプレディング（ｓｐｒｅａｄｉｎｇ）輝度を決定する段階と、
前記初期輝度と、前記反射輝度と、前記スプレディング輝度と、を加える段階と、
を含む請求項９に記載の液晶表示装置の駆動方法。